(57)【要約】【課題】本発明は各種音響機器に使用されるスピーカに関するものであり、特に車載用等に要求される軽量化をスピーカの構造的強度を低下させることなく提供するものである。【解決手段】本発明のスピーカは、フレーム２ａの少なくとも磁気回路１との結合部分を除いた部分に多角形状のリブを樹脂成形時に一体に設けたものであり、この構成とすることにより、フレーム２ａの剛性を向上させ、スピーカとしてのスピーカの構造的強度を低下させることのない軽量のスピーカの提供を特別な部品や組立工法を使用することなく行えるものである。【選択図】図１
2008193371.tif 000002
【特許請求の範囲】
【請求項１】
磁気回路と、この磁気回路に結合された樹脂成形により形成されたフレームと、外周をこのフレームに接着結合すると共に、内周を下方が前記磁気回路の磁気ギャップ内に配置されるボイスコイルに接着結合した振動板と、内周を前記ボイスコイルに接着結合し、外周を前記フレームに接着結合して前記ボイスコイルを上下動可能に支持するダンパーとで形成されるスピーカであって、前記フレームの少なくとも前記磁気回路との結合部分を除いた部分に多角形状のリブを樹脂成形時に一体に設けたスピーカ。
【請求項２】
多角形状リブが複数個隣接して設けられ、前記多角形状リブの辺が隣接している他の多角形状リブの辺も兼ねている請求項１に記載のスピーカ。
【請求項３】
少なくともフレーム中央底面の表裏いずれかに設けられた多角形状のリブの形状と、外周の鍔部または外周と前記底面を連絡する桟部に設けられた他の多角形状のリブの形状が異なる請求項１または請求項２に記載のスピーカ。
【発明の詳細な説明】
【技術分野】
【０００１】
本発明は各種音響機器等に使用されるスピーカに関するものである。
【背景技術】
【０００２】
従来のスピーカを図２のスピーカの断面図および図３の同要部であるフレームの斜視図により説明する。
【０００３】
同図によると、１はセンターポールを有する下部プレート１ａとこの下部プレート１ａ上に接着結合されたリング状のマグネット１ｂとこのリング状のマグネット１ｂ上に接着結合されたリング状の上部プレート１ｃとからなり、前記センターポール側面と前記リング状の上部プレート１ｃの内径側面との間に磁気ギャップ１ｄを形成した外磁型の磁気回路であり、２は前記磁気回路１の前記上部プレート１ｃ上に接着結合された樹脂製のフレームである。
【０００４】
３はこのフレーム２に外周をエッジ部３ａを介して接着結合し、内周を下部のコイル部４ａを前記磁気ギャップ１ｄ内に配置したボイスコイル４に接着結合した振動板であり、５は内周を前記ボイスコイル４に接着結合し、外周を前記フレーム２に接着結合してなり、前記ボイスコイル４を上下動可能に支持するダンパーである。
【０００５】
なお、前述の従来技術においては、磁気回路を外磁型の磁気回路１として説明したが、有底円筒状のヨークの底面に円筒状のマグネットを接着結合し、更に、この円筒状のマグネット上に円板状の上部プレートを接着結合し、前記ヨークの内周側面と前記上部プレート間に磁気ギャップを設けた内磁型の磁気回路も従来技術の磁気回路として存在する。
【０００６】
また、前記従来技術では、磁気回路１とフレーム２の結合は、フレーム２の底面外側と上部プレート１ｃ間で行なっているものとして説明したが、フレーム２の底面内側と下部プレート１ａ（内磁型の磁気回路においては前記ヨーク）を接着結合するものも従来のスピーカとして存在する。
【０００７】
なお、この出願の発明に関連する先行技術文献情報としては、例えば、特許文献１が知られている。
【特許文献１】特開平６−１６９４９８号公報
【発明の開示】
【発明が解決しようとする課題】
【０００８】
近年、機器の軽量化の傾向の中で、従来、金属プレスにより形成されていたスピーカのフレーム２は、上述の如く樹脂成形によるものが採用されてきている。
【０００９】
しかしながら、樹脂は曲げ弾性強度が金属より劣るため、スピーカのフレーム２に採用した場合、フレーム２を薄くしたり、桟部２ｉを細くすることには限界があり、結果として、金属プレスのフレームに比べて軽量化したとしても著しい軽量効果をあげうるものではなかった。
【００１０】
軽量で剛性の高いフレームとしてガラス繊維やマイカ等の無機質を樹脂に混入し、剛性の向上を図ったものもあるが、重量の増加を伴うと共に、コスト上昇、成形時の流動性が悪くなり、ウェルドやショートショット等の防止のために成形工程の管理も複雑となる等の課題を有するものであった。
【課題を解決するための手段】
【００１１】
上記課題を解決するために、本発明のスピーカは、磁気回路と、この磁気回路に結合された樹脂成形により形成されたフレームと、外周をこのフレームに接着接合すると共に、内周を下方が前記磁気回路の磁気ギャップ内に配置されるボイスコイルに接着結合した振動板と、内周を前記ボイスコイルに接着結合し、外周を前記フレームに接着結合して前記ボイスコイルを上下動可能に支持するダンパーとで形成されるスピーカであって、前記フレームの少なくとも前記磁気回路との結合部分を除いた部分に多角形状のリブを樹脂成形時に一体に設けたスピーカであり、多角形状のリブをフレームに一体に設けることで、フレームの軽量化と構造的強度（剛性）を高めた樹脂製のフレームを用いたスピーカの提供を可能とするものである。
【発明の効果】
【００１２】
以上のように本発明のスピーカは、樹脂製スピーカの成形時にフレームに一体に複数のリブを設けることで、フレームの軽量化と構造的強度（剛性）を高めた樹脂製のフレームを用いたスピーカを特別なスピーカの組立工程を経ることなく提供できるものである。
【発明を実施するための最良の形態】
【００１３】
以下、本発明の実施の形態を図１により説明する。
【００１４】
なお、説明にあたっては、従来技術と同一部分については、説明を省略して説明する。
【００１５】
（実施の形態１）
以下、本発明の一実施の形態を図１の要部であるフレームの斜視図により説明する。従来の技術と本実施の形態との相違点はフレームの形状であるので、フレームの形状について以下に説明する。
【００１６】
２ａは磁気回路（図示せず）を裏面に接着結合する中央底面部２ｂと、振動板（図示せず）の外周が接着結合される外周部２ｃと、この外周部２ｃの外縁に形成された鍔部２ｄと、この鍔部２ｄから突出して設けられたパネル等への取り付けのための孔２ｅを設けた複数の取付部２ｆと、前記中央底面部２ｂと前記外周部２ｃを橋絡する桟部２ｈで構成されると共に、前記中央底面部２ｂには６角形状のリブ６ａの辺が隣接する他のリブ６ａの辺を共用する形で前記中央底面部２ｂの底面全面にフレーム２ａの樹脂成形時に一体に形成されている。
【００１７】
また、前記鍔部２ｄ全面にも５角形状の他のリブ６ｂが隣接する他のリブ６ｂと隣接する辺を共用する形でフレーム２ａの樹脂成形時に一体に形成されている。
【００１８】
また、前記取付部２ｆにも薄肉部分に６角形状のリブ６ｃが隣接する他のリブ６ｃと隣接する辺を共用する形でフレーム２ａの樹脂成形時に一体に形成されている。
【００１９】
また、前記桟部２ｈにも６角形状のリブ６ｄが隣接する他のリブ６ｄと隣接する辺を共用する形でフレーム２ａの樹脂成形時に一体に形成されている。
【００２０】
以上のように、上記実施の形態では比較的平面が形成されるフレーム２ａの中央底面部２ｂ、鍔部２ｄ、取付部２ｆの薄肉部分および桟部２ｈに６角形状または５角形状のリブ（６ａ，６ｂ，６ｃおよび６ｄ）をフレーム２ａの樹脂成形時に一体に形成することで、フレーム２ａの剛性を向上させている。
【００２１】
このように、フレームを樹脂成形によって軽量化したスピーカにおいても、構造的強度（剛性）を高めたスピーカの提供を特別な工程や特別な部品の追加なしに行えるものである。
【００２２】
なお、前記実施の形態においては、リブの形状を６角形状または５角形状として説明したが、これに限定されるものではなく、３角形以上で辺の間に空間を有する多角形状のものであれば良い。
【００２３】
但し、構造的な強度を考慮した場合は、５角形以上のリブが好ましく、７角形以上になると、成形金型の製作コストが高く経済的に好ましくない。
【００２４】
また、４角形状のリブは、成形金型の製作は容易となるが、特定の方向の剛性は向上するが、斜めやねじれに対する剛性の向上は望めない。
【００２５】
三角形状のリブでは剛性は向上するが、辺内の空間の面積が小さく、結果として重くなって、本来の軽量化の目的の達成は難しくなる。
【００２６】
従って、多角形のリブの形状は５角形状または６角形状のものを選択することが最良であり、他の多角形の形状についてはフレームの大きさ、形状で５角形や６角形のリブ形状の採用が困難なときに適宜選択するべきものである。
【００２７】
なお、前記実施の形態においては、夫々の多角形状リブ６ａ，６ｂ，６ｃおよび６ｄはフレーム２ａの上表面にあるものとして説明したが、裏面側にあってもよく、また、表裏両面に形成されていてもよい。フレーム２ａとしての剛性と重量の関係から、夫々の部位において多角形状の種類、形成する部位を適宜選択すればよいものである。
【００２８】
但し、中央底面部２ｂの多角形状リブ６ａは、従来技術の図２のスピーカのように磁気回路１を底面の裏面に接着結合するためであり、従来技術の但し書きで記載した磁気回路の下面（下部プレート）とフレーム２ａの中央底面部２ｂと接着結合するものにあっては、多角形状のリブを中央底面の裏面（外側）に設けることが、磁気回路の下面とフレームの中央底面部２ｂとの接着結合の結合強度を低下させることがないので好ましいものとなる。
【産業上の利用可能性】
【００２９】
本発明は、スピーカの軽量化において、フレームの軽量化と構造的強度（剛性）を高めた樹脂製のフレームを用いたスピーカの提供を特別な構造とすることなく提供することを可能とするものである。
【図面の簡単な説明】
【００３０】
【図１】本発明のスピーカの一実施の形態における要部であるフレームの斜視図
【図２】従来のスピーカの断面図
【図３】同スピーカの要部であるフレームの斜視図
【符号の説明】
【００３１】
１  磁気回路
２ａ  フレーム
２ｂ  中央底面部
２ｃ  外周部
２ｄ  鍔部
２ｈ  桟部
３  振動板
４  ボイスコイル
５  ダンパ
６ａ，６ｂ，６ｃ，６ｄ  リブ
【図１】
2008193371.tif 000003
【図２】
2008193371.tif 000004
【図３】
2008193371.tif 000005